(57)【特許請求の範囲】
【請求項１】
ボイラー内の流体輸送管の保護構造であって、該流体輸送管の外周または流体輸送管を連結するフィンに固定されたボルトに螺合されたアンカー部材と、該アンカー部材に嵌着されたセラミックス製保護キャップと、該セラミックス製保護キャップの挿入口を介してアンカー部材に螺合された型枠用のボルトと、該型枠用のボルトにフィンと平行に対向して設けられた型枠用パネルと、該型枠用パネルとフィンとの間に充填された不定形耐火物からなり、
該型枠用パネルを取り外した後、前記不定形耐火物に埋設されたボルト、アンカー部材およびセラミックス製保護キャップをアンカースタッドとすることを特徴とするボイラー内の流体輸送管の保護構造。
【請求項２】
セラミックス製保護キャップは、逆台形状に形成したことを特徴とする請求項１記載のボイラー内の流体輸送管の保護構造。
【請求項３】
ボイラー内の流体輸送管の外周または流体輸送管を連結するフィンに固定されたボルトにアンカー部材として長ナットを螺合すると共に、前記アンカー部材にボルト挿入口を有するセラミックス製保護キャップを嵌着する工程と、前記セラミックス製保護キャップの挿入口に螺合させた型枠用のボルトに開孔を挿通して型枠パネルを前記フィンと対向してナットで固定する工程と、前記流体輸送管およびフィンと型枠パネルとの間に不定形耐火物を充填し、硬化させる工程と、前記型枠パネルを取り外し前記不定形耐火物に埋設されたボルト、アンカー部材およびセラミックス製保護キャップをアンカースタッドとするとともに、前記セラミックス製保護キャップのボルト挿入口に不定形耐火物を充填・硬化させる工程とからなることを特徴とするボイラー内の流体輸送管の保護構造の構築方法。
【発明の詳細な説明】
【０００１】
【産業上の利用分野】
本発明は、焼却炉などのボイラー内の流体輸送管の保護構造およびその構築方法に係り、焼却炉などの炉壁に流体輸送管を配置し、焼却時に発生する熱と流体輸送管内を流れる流体との熱交換により流体を加熱して蒸気を発生させて発電などに利用することを目的としたボイラー内に設ける流体輸送管の保護構造およびその構築方法に関するものである。
【０００２】
【従来の技術】
従来、不定形耐火物を用いたこの種流体輸送管の保護構造の構築方法として、例えば特開平８−２１６９０号公報には、丸セパレータ、コン、フォームタイ、型枠パネル、たて・よこ端太などを用いて型枠を構成し、この型枠内に不定形耐火物を充填・硬化した後、コンおよび型枠パネルを取り外して脱型する方法が開示されている。
【０００３】
【発明が解決しようとする課題】
上記の構築方法による流体輸送管の保護構造においては、脱型後に残る丸セパレータは、不定形耐火物を支持するアンカースタッドとしての役目を果たすが、これとは別に、本来の支持部材であるスタッドを流体輸送管の外周または流体輸送管を連結するフィンに取り付けることが必要なため、その構造が複雑化し、その費用が割高になっている。
【０００４】
本発明は、上記する従来技術の欠点を解決し、構造を簡略化することのできる不定形耐火物を用いたボイラー内に設ける流体輸送管の保護構造およびその構築方法を提供することを課題としている。
【０００５】
【課題を解決するための手段】
本発明に係る第１の発明は、ボイラー内の流体輸送管の保護構造であって、該流体輸送管の外周または流体輸送管を連結するフィンに固定されたボルトに螺合されたアンカー部材と、該アンカー部材に嵌着されたセラミックス製保護キャップと、該セラミックス製保護キャップの挿入口を介してアンカー部材に螺合された型枠用のボルトと、該型枠用のボルトにフィンと平行に対向して設けられた型枠用パネルと、該型枠用パネルとフィンとの間に充填された不定形耐火物からなり、該型枠用パネルを取り外した後、前記不定形耐火物に埋設されたボルト、アンカー部材およびセラミックス製保護キャップをアンカースタッドとすることを特徴とし、第２の発明は、セラミックス製保護キャップは、逆台形状に形成したことを特徴としている。
【０００６】
第３の発明は、ボイラー内の流体輸送管の外周または流体輸送管を連結するフィンに固定されたボルトにアンカー部材として長ナットを螺合すると共に、前記アンカー部材にボルト挿入口を有するセラミックス製保護キャップを嵌着する工程と、前記セラミックス製保護キャップの挿入口に螺合させた型枠用のボルトに開孔を挿通して型枠パネルを前記フィンと対向してナットで固定する工程と、前記流体輸送管およびフィンと型枠パネルとの間に不定形耐火物を充填し、硬化させる工程と、前記型枠パネルを取り外し前記不定形耐火物に埋設されたボルト、アンカー部材およびセラミックス製保護キャップをアンカースタッドとするとともに、前記セラミックス製保護キャップのボルト挿入口に不定形耐火物を充填・硬化させる工程とからなることを特徴としている。
【０００７】
【作用】
本発明の第１の発明によれば、流体輸送管の周囲を被覆した不定形耐火物は、ボイラー内の流体輸送管の外周またはフィンに固定されたボルトと、このボルトに螺合しかつセラミックス製保護キャップに嵌着させたアンカー部材に支持され、不定形耐火物の被覆層の剥離や脱落、亀裂などの発生を防止している。また、第２の発明のセラミックス製保護キャップは、逆台形状に形成したため、不定形耐火物の被覆層から脱落することがない。
【０００８】
第３の発明によれば、セラミックス製保護キャップに螺合したボルトのナットを介して型枠パネルが簡易に取り付けまたは取り外しでき、その構築工程が簡略化される。また、前記ボルトに対するナットの螺合位置により被覆層を形成する不定形耐火物を任意な厚さに構成できる自由度があり、構築時に使用するボルトとアンカー部材およびセラミックス製保護キャップは、脱型後も取り外すことなく、そのままアンカースタッドとしての役目を果たし不定形耐火物の被覆層を支持できる。
【０００９】
【発明の実施の形態】
以下、本発明の実施の形態を説明する。図１は、本発明に係る流体輸送管の保護構造の一実施形態を示す断面図、図２は、同保護構造の他の実施形態を示す断面図、図３は、図１の保護構造の構築方法を示す断面図である。
【００１０】
図１において、流体輸送管１，１は、フィン２により連結され、流体輸送管１の外周に垂下状に溶接などで固着されたナット３にボルト４の一端部が螺合してある。そして、このボルト４の他端部にアンカー部材５として長ナット６の一端部を螺合すると共に、この長ナット６の他端部にセラミックス製保護キャップ７を嵌着し、流体輸送管１の周囲を不定形耐火物８で被覆して前記ナット３とボルト４およびアンカー部材５を埋設している。
【００１１】
図２に示す例は、上記と異なりボルト４は、フィン２に溶接などで固着したナット３に螺合させた構成であり、その他は図１と同じ構成であるため、この説明を省略する。
【００１２】
上記セラミックス製保護キャップ７としては、比較的熱伝導性の高いＳｉＣを主成分とするものが好適であり、その形状は、図示するように逆台形に構成することにより、不定形耐火物８の被覆層からセラミックス製保護キャップ７の離脱を防止することが好ましい。不定形耐火物８は、熱伝導率、耐食性などを考慮し、ＳｉＣを主成分とするものが好ましい。
【００１３】
次に、本発明の構築方法を図３により説明する。図示の場合、フィン２に連結されている流体輸送管１の外周に垂下状に固着されているナット３にボルト４の一端部が螺合してあり、このボルト４の他端部にアンカー部材５として長ナット６を螺合すると共に、この長ナット６の他端部に、内側の挿入口９に雌ネジ部（図示省略）を有する逆台形状のセラミックス製保護キャップ７を嵌着する。
【００１４】
そして、上記セラミックス製保護キャップ７の挿入口９に型枠用のボルト１０を螺合させ、このボルト１０に予め型枠パネル１１に設けた開孔を介して型枠パネル１１を流体輸送管１，１およびフィン２と平行に対向させ、ボルト１０の他端部にワッシャー１２を介在させてナット１３を螺合し型枠パネル１１を固定する。さらに、この流体輸送管１，１およびフィン２と型枠パネル１１との間に不定形耐火物８を充填し、これを硬化させた後、前記型枠パネル１１を取り外すことにより、流体輸送管の保護構造を構築する。なお、前記セラミックス製保護キャップ７の挿入口９に同様な不定形耐火物８を充填・硬化するとよい。
また、図２に示す保護構造は、上述するように、そのボルト４がフィン２に固定させた点が、図１と異なる構成であるため説明を省略する。
【００１５】
【発明の効果】
本発明の流体輸送管の保護構造は、上記のように構成されているので、流体輸送管の周囲を被覆した不定形耐火物は、流体輸送管の外周またはフィンに固定されたボルトと、このボルトに螺合しかつセラミックス製保護キャップに嵌着させたアンカー部材に支持され、不定形耐火物の被覆層の剥離や脱落、亀裂などの発生を防止できる。また、セラミックス製保護キャップは、逆台形状に形成したため、不定形耐火物の被覆層からの脱落を防止できる。
【００１６】
本発明の構築方法は、上記のような工程と使用する施工部品数も少ないので、その構築工程が簡略化される。特に、セラミックス製保護キャップに螺合した型枠用のボルトのナットを介して型枠パネルが簡易に取り付けまたは取り外しできる。さらに、前記型枠用のボルトに対するナットの螺合位置により被覆層を形成する不定形耐火物を任意な厚さに調整できる自由度がある。また、構築時に使用するボルト、アンカー部材およびセラミックス製保護キャップは、脱型後も取り外すことなく、そのままの状態でアンカースタッドとしての役目を果たし不定形耐火物の被覆層を支持できる。
【図面の簡単な説明】
【図１】本発明に係る流体輸送管の保護構造の一実施形態を示す断面図。
【図２】同保護構造の他の実施形態を示す断面図。
【図３】図１の保護構造の構築方法を示す断面図。
【符号の説明】
１    流体輸送管
２    フィン
４    ボルト
５    アンカー部材
６    長ナット
７    セラミックス製保護キャップ
８    不定形耐火物
１０  型枠用のボルト
１１  型枠パネル
【図１】
0003872891.tif 000002
【図２】
0003872891.tif 000003
【図３】
0003872891.tif 000004